(57)【要約】【課題】炭酸アルキレンを有効成分とする洗浄液の有機被膜を溶解する能力を再生し、これを洗浄液として循環使用するものであって、オゾンを用いることなく再生することができる有機被膜洗浄液の再生方法及び有機被膜洗浄液の再生装置を提供する。【解決手段】炭酸アルキレンを有効成分とする洗浄液を収容する洗浄槽と、洗浄槽から移送された有機被膜を溶解した洗浄液を精留して炭酸アルキレンを分離する精留手段と、精留手段で分離した炭酸アルキレンを凝縮して液状にする凝縮手段と、洗浄槽から精留手段及び凝縮手段を経由して凝縮手段により液化した炭酸アルキレンを洗浄槽へ移送して循環させる循環手段とを有し、炭酸アルキレンを洗浄液として再生利用することができる有機被膜洗浄液の再生装置。【選択図】図１
2005169287.tif 000002
【特許請求の範囲】
【請求項１】
炭酸アルキレンを有効成分とする洗浄液を収容する洗浄槽と、
前記洗浄槽から移送された有機被膜を溶解した洗浄液を精留することで炭酸アルキレンの分離を行う精留手段と、
前記精留手段で分離した炭酸アルキレンを凝縮して液状にする凝縮手段と、
前記洗浄槽から前記精留手段及び前記凝縮手段を経由して前記凝縮手段により液化した炭酸アルキレンを前記洗浄槽へ移送して循環させる循環手段と
を有する有機被膜洗浄液の再生装置。
【請求項２】
前記精留手段が、精留部、回収部及び加熱部を有しており、前記回収部が本体である精留手段から脱着可能なカートリッジ式であることを特徴とする請求項１記載の有機被膜洗浄液の再生装置。
【請求項３】
前記精留手段が、多段式であることを特徴とする請求項１又は２記載の有機被膜洗浄液の再生装置。
【請求項４】
前記精留手段が、減圧又は真空条件下での精留が可能であることを特徴とする請求項１乃至３のいずれか１項記載の有機被膜洗浄液の再生装置。
【請求項５】
前記凝縮手段により凝縮された炭酸アルキレンを貯留する貯留手段を有することを特徴とする請求項１乃至４のいずれか１項記載の有機被膜洗浄液の再生装置。
【請求項６】
前記有機被膜洗浄液の再生装置を洗浄液が凝固しない温度に保持する保温手段を有することを特徴とする請求項１乃至５のいずれか１項記載の有機被膜洗浄液の再生装置。
【請求項７】
請求項１乃至６のいずれか１項記載の有機被膜除去装置と、
前記有機被膜除去装置で有機被膜を除去した後に洗浄液をすすぐための純水洗浄槽と、
前記純水洗浄槽で洗浄した後に、付着した純水を乾燥させるための乾燥手段と
を有することを特徴とする有機被膜の洗浄装置。
【請求項８】
前記有機被膜の洗浄装置内を洗浄液が凝固しない温度に保持する保温手段を有することを特徴とする請求項７記載の有機被膜の洗浄装置。
【請求項９】
炭酸アルキレンを有効成分とする洗浄液で有機被膜を溶解・除去する洗浄工程と、
前記洗浄工程により有機被膜を溶解した洗浄液を精留することで炭酸アルキレンの分離を行う精留工程と、
前記精留工程で分離した炭酸アルキレンを凝縮して液状にする凝縮工程と、
前記洗浄工程で用いられ、前記精留工程及び前記凝縮工程を経て、前記凝縮工程により液化した炭酸アルキレンを前記洗浄工程へと循環させる循環工程と
を含有する有機被膜洗浄液の再生方法。
【請求項１０】
前記精留工程を、多段式の精留手段で行うことを特徴とする請求項９記載の有機被膜洗浄液の再生方法。
【請求項１１】
前記精留工程を、減圧又は真空条件で行うことを特徴とする請求項９又は１０記載の有機被膜洗浄液の再生方法。
【請求項１２】
前記精留工程による精留が、圧力１０〜４０Ｔｏｒｒ、加熱温度  １１５〜１４７℃の条件下で行うことを特徴とする請求項１１記載の有機被膜洗浄液の再生方法。
【請求項１３】
前記凝縮工程により凝縮された炭酸アルキレンを貯留する貯留工程を有することを特徴とする請求項９乃至１２のいずれか１項記載の有機被膜洗浄液の再生方法。
【請求項１４】
前記有機被膜洗浄液の再生方法の各工程を洗浄液が凝固しない温度に保持して行うことを特徴とする請求項９乃至１３のいずれか１項記載の有機被膜洗浄液の再生方法。
【請求項１５】
請求項９乃至１４のいずれか１項記載の有機被膜洗浄液の再生方法における洗浄工程により有機被膜が除去された洗浄対象物を純水ですすぐことによって、付着した洗浄液を洗い流す純水洗浄工程と、
前記純水洗浄工程で付着した水を蒸発、乾燥させる乾燥工程と
を有することを特徴とする有機被膜の洗浄方法。
【請求項１６】
前記洗浄工程及び前記純水洗浄工程を、洗浄液が凝固しない温度に保持して行うことを特徴とする請求項１５記載の有機被膜の洗浄方法。
【発明の詳細な説明】
【技術分野】
【０００１】
本発明は、炭酸アルキレンを有効成分とする洗浄液を用いた洗浄において、有機被膜が溶解することで汚染された洗浄液を浄化することができる有機被膜洗浄液の再生装置及び有機被膜洗浄液の再生方法に関する。さらに、それらを用いた有機被膜の洗浄装置及び洗浄方法に関する。
【背景技術】
【０００２】
半導体ウェハの製造工程は、半導体ウェハ全面へのレジストの塗布等の様々な塗布工程を経て行われるものである。このとき、レジストの塗布は、スピンコーターによりウェハを回転しながらウェハ中央部に滴下されたレジストを遠心力により振り切って、所定の膜厚のレジスト膜をウェハ表面に形成することにより行われる。
【０００３】
スピンコート方式はレジスト塗布に限らず、ＳＯＧ（Ｓｐｉｎ  Ｏｎ  Ｇｒａｓｓ）膜を形成するＳＯＧ塗布等にも使用されている。すなわち、回転台に固定されたウェハを回転制御してウェハ中央部に滴下されたＳＯＧ液を振り切ることにより、レジスト塗布と同様に所定の膜厚のＳＯＧを形成することができる。
【０００４】
このようなスピンコート方式においては、振り切った塗布材は、ドレーン用のカップ（スピンコーターカップ）に落ちて回収され、ドレーンから排出され他の処理槽へと導かれる。
【０００５】
しかし、上記いずれの塗布処理においても、これが繰り返されることによって、スピンコーターカップにはドレーンから排出されずに残留したレジストの堆積物が徐々に蓄積されていく。この堆積物が多くなると、ウェハ工程におけるパーティクルの影響が懸念される。そこで、メンテナンス時において、スピンコーターカップを洗浄し、残留した堆積物を除去する必要が生じ、エチレングリコールやシンナー系等の有機溶剤やオゾン水の供給による洗浄が行われている（例えば、特許文献１参照。）。
【０００６】
また、スピンコーターカップではなくウェハの洗浄に用いるものではあるが、同様にレジスト塗膜の剥離、除去を行うものとして、４−メトキシ−１−ブタノール、３−メトキシ−１−ブタノール又は４−メトキシ−１−ブタノールと３−メトキシ−１−ブタノールとの混合物からなる溶剤と、炭酸プロピレンとから構成されるフォトレジスト用剥離液組成物（例えば、特許文献２参照。）、４０〜５０容量％の炭酸エチレン等の非プロトン性・環状炭酸エステル、並びにエチレンジアセテート、エチレンジブチレート等のプロトン性極性化合物、さらにＮ−メチル−２−ピロリドン及びトリエタノールアミンを含む溶剤の超音波撹拌浴中でフォトレジストを除去する方法（例えば、特許文献３参照。）及びオゾンガスを溶解した処理液を用いて有機被膜を除去する方法として、炭酸アルキレンと気体中のオゾンとの分配係数が室温で０．６以上であり、かつ、オゾンによって分解され難い１種または複数種混合の有機溶剤とを含む溶液を用いる方法（例えば、特許文献４参照。）が知られている。
【０００７】
これに対して、出願人は、炭酸エチレン又は炭酸プロピレン単独でも十分にレジストの剥離、除去を行うことができることを見出し、炭酸アルキレンにより有機被膜を除去した後、溶解した有機被膜をオゾンによって低分子量物質に分解して、処理液として再生し循環使用する有機被膜の除去方法の特許出願を既に行っている（特願２００２−２２９３９４）。
【特許文献１】特開２００２−２０５０２１号公報
【特許文献２】特許第２６７９６１８号公報
【特許文献３】米国特許第５６９０７４７号明細書
【特許文献４】特開２００３−２８２５１８号公報
【発明の開示】
【発明が解決しようとする課題】
【０００８】
そこで、本発明は、炭酸アルキレンを有効成分とする洗浄液をレジスト剥離の溶剤として用いる際に、有機被膜を溶解することで汚染された洗浄液の有機被膜を溶解する能力を再生し、これを洗浄液として循環使用するものであって、オゾンを用いることなく行うことができる有機被膜洗浄液の再生方法及び有機被膜洗浄液の再生装置を提供することを目的とする。
【課題を解決するための手段】
【０００９】
本発明の有機被膜洗浄液の再生装置は、炭酸アルキレンを有効成分とする洗浄液を収容する洗浄槽と、洗浄槽から移送された有機被膜を溶解した洗浄液を精留して炭酸アルキレンを分離する精留手段と、精留手段で分離した炭酸アルキレンを凝縮して液状にする凝縮手段と、洗浄槽から精留手段及び凝縮手段を経由して凝縮手段により液化した炭酸アルキレンを洗浄槽へ移送して循環させる循環手段とを有することを特徴とする。
【００１０】
本発明の有機被膜の洗浄装置は、本発明の有機被膜洗浄液の再生装置と、有機被膜洗浄液の再生装置で有機被膜を除去した後に洗浄液をすすぐための純水洗浄槽と、純水洗浄槽で洗浄した後に、付着した純水を乾燥させるための乾燥手段とを有することを特徴とする。
【００１１】
本発明の有機被膜洗浄液の再生方法は、炭酸アルキレンを有効成分とする洗浄液で有機被膜を除去する洗浄工程と、洗浄工程により有機被膜を溶解した洗浄液を精留することで炭酸アルキレンを分離する精留工程と、精留工程で分離した炭酸アルキレンを凝縮して液状にする凝縮工程と、洗浄工程で用いられ、精留工程及び凝縮工程を経て、凝縮工程により液化した炭酸アルキレンを洗浄工程へと循環させる循環工程とを含有することを特徴とする。
【００１２】
本発明の有機被膜の洗浄方法は、本発明の有機被膜洗浄液の再生方法における洗浄工程により有機被膜が除去された洗浄対象物を純水ですすぐことによって、付着した洗浄液を洗い流す純水洗浄工程と、純水洗浄工程で付着した水を蒸発、乾燥させる乾燥工程とを有することを特徴とする。
【発明の効果】
【００１３】
本発明の有機被膜洗浄液の再生装置及び洗浄方法によれば、洗浄対象物に付着している有機被膜を効率良く剥離、溶解することができ、かつ、この有機被膜の溶解することで汚染された炭酸アルキレンを精留することで、炭酸アルキレンの有機被膜を溶解する能力を再生することができる。そのため、洗浄作業も洗浄液の交換をせずに長時間連続的に行うことができる。
【００１４】
本発明の有機被膜の洗浄装置及び洗浄方法によれば、本発明の有機被膜洗浄液の再生装置及び再生方法と同様の効果が得られると共に、洗浄液のすすぎ、乾燥までを一連の作業で行うことができる。
【発明を実施するための最良の形態】
【００１５】
以下、本発明に係る有機被膜洗浄液の再生装置、有機被膜の洗浄装置、有機被膜洗浄液の再生方法及び有機被膜の洗浄方法について図面を参照しながら説明する。
【００１６】
［有機被膜洗浄液の再生装置及び再生方法］
（第１の実施形態）
図１は、本発明に係る有機被膜洗浄液の再生装置における第１の実施形態を示した概略図である。
【００１７】
本発明の有機被膜洗浄液の再生装置１は、炭酸アルキレンを有効成分とする洗浄液２を収容する洗浄槽３と、洗浄槽３から移送された有機被膜を溶解した洗浄液２を精留する精留手段４と、精留手段４から蒸気として取り出された炭酸アルキレンを凝縮して液状にする凝縮手段５と、洗浄槽３から精留手段４及び凝縮手段５を経由し凝縮手段５により液化した炭酸アルキレンを洗浄槽３へ移送して循環させる循環手段６とから構成されるものである。
【００１８】
この有機被膜洗浄液の再生装置１に用いる洗浄槽３は、炭酸アルキレンを有効成分とする洗浄液２を収容するものであり、この洗浄槽３に収容された洗浄液中に洗浄対象物を浸漬することによって洗浄対象物に付着している有機被膜の剥離・除去を行うものである。
【００１９】
また、このとき有機被膜の除去をより効率的に行うためには、洗浄対象物を洗浄液に浸漬しながら揺動したり、超音波を洗浄対象物に照射したりすることが好ましい。
【００２０】
図２は、洗浄対象物を入れる洗浄カゴを揺動する揺動装置の概念図を示したものである。揺動装置２１は、図２に記載したように、洗浄液中に洗浄対象物を浸漬するための洗浄用カゴ２２を保持する保持部２３と、この保持部２３と接続しており回転させることで洗浄用カゴ２２を揺動することができるカム２４とで構成されている。
【００２１】
また、超音波を照射する場合には、洗浄槽３の底面及び／又は側面に超音波振動子を配置し、洗浄槽３中の洗浄対象物に超音波を照射することが可能な構成とすればよい。
【００２２】
この有機被膜洗浄液の再生装置１に用いる精留手段４は、混合物から目的物を分離するために還流しながら蒸留を行うことができる精留手段であれば特に限定されるものではなく、精留を効率良く十分に行うために精留塔等のトレイを多数有する多段式の精留手段であることが好ましい。
【００２３】
この精留塔に用いるトレイとしては、精留塔の典型的なトレイである多孔板型、包鐘型が挙げられ、また精留塔としては充填物を用いた充填塔であっても良い。このときの精留は、連続式でもバッチ式でもどちらで行っても良く、連続式で行う場合には、連続精留塔、バッチ式で行う場合には、回分精留塔を用いて行えばよい。
【００２４】
この精留手段４は、内部を加熱して洗浄液中の炭酸アルキレンを蒸気とする加熱部４１、加熱された炭酸アルキレンが精留される精留部４２、炭酸アルキレンの含有量が減少して有機被膜を構成している有機物が残留し、これを回収する回収部４３とから構成されるものである。
【００２５】
この精留手段４の回収部４３における残留物は、本発明では有機被膜を構成する有機物であるため、この有機物の性質によって、炭酸アルキレンの含有量が多い場合は粘性の高い液体であり、炭酸アルキレンの含有量が少なくなると固化した硬化物となる。そのため、この有機物の溜まる回収部４３をカートリッジ式とすることで、廃棄を容易にすることができる。
【００２６】
この回収部４３としては、最下部のトレイのみを回収部とすることもできるし、原料供給点よりも下部にある全てのトレイを回収部とすることもできる。この回収部となるトレイはカートリッジ式となっており、精留手段４の本体から取り外しが可能であり、予め用意しておいた交換用のカートリッジ式トレイと入れ替えることで、迅速に精留操作を行うことができ、有機被膜洗浄液の再生装置１を稼動することができる。なお、回収部となるトレイが複数ある場合には、それらが一体となって交換できる構成でも、トレイ毎に交換できる構成でもどちらでも良い。
【００２７】
ここで、回収部４３の最下段のトレイにおいても洗浄液が流動性を有している場合には、底部にリボイラを設けて、再沸させて炭酸アルキレンの蒸気を精留塔の下部から戻して循環させる構成としても良く、このときはカートリッジ式トレイをリボイラにおいて残留物を収容するトレイとしても良い。
【００２８】
また、精留塔における精留の精度をより高めるために、頭頂から得られた炭酸アルキレンの蒸気が凝縮手段５により液化された炭酸アルキレン液を精留塔の頭頂部に戻して循環させることができるような構成としても良い。
【００２９】
精留手段４は、減圧又は真空条件下で精留が可能であることが好ましく、この場合には、炭酸アルキレンを蒸気とするのに高温にする必要がなく、低温で安定して操作を行うことができ、減圧又は真空条件とするためには、真空ポンプ等の減圧手段を設けることにより達成することができる。
【００３０】
次に、この有機被膜洗浄液の再生装置１に用いる凝縮手段５は、精留手段４で蒸気として得られた炭酸アルキレンを凝縮して液化するものであり、通常、精留方法としては、常圧法又は減圧法があり、精留後の凝縮手段としては精留手段と同一の圧力下で行うことが好ましく、いずれの場合でも冷却することで行うことができる。但し、対象洗浄液の凝固を防止するため凝縮温度を凝固点以下には冷却しない。
【００３１】
例えば、冷却器は、精留手段４で得られた炭酸アルキレンの蒸気を冷却することにより凝縮し、液状の炭酸アルキレンとするものであり、この凝縮は、冷却水又はブライン等の冷媒により固体壁を通して間接的に熱交換を行うことにより達成することができる。
【００３２】
精留手段及び凝縮手段において、洗浄液の有効成分が炭酸エチレンであった場合の炭酸エチレンの圧力と沸点の関係を表１に示した。
【００３３】
【表１】
2005169287.tif 000003
【００３４】
従って、上表に示す如く、精留手段としては蒸発温度を沸点以上に設定して、凝縮手段のための冷却温度は沸点以下に設定すれば良い。経済的には、圧力は１０〜４０Ｔｏｒｒで、加熱温度は各設定圧力に相当する沸点温度である１１５〜１４７℃以上に設定して、凝縮温度は各圧力に相当する沸点温度より低ければよいことになる。但し、各圧力に相当する凝固点温度より低くならないように設定しなければならない。従って、凝縮手段をより効率よく経済的に行うには装置内温度である４０℃に設定するのが好ましい。
【００３５】
本発明に用いる循環手段６は、洗浄槽３から精留手段４及び凝縮手段５を経由して、凝縮手段５により液化した炭酸アルキレンを洗浄槽３へ移送して循環させるものであり、これにより洗浄槽３の洗浄液中に存在する炭酸アルキレンは清浄されて洗浄槽３へ循環されることとなる。
【００３６】
この循環手段６は、洗浄槽３、精留手段４、凝縮手段５、洗浄槽３の順番に炭酸アルキレンが循環することができるように流れを作ることができるものであれば、循環経路のどの位置に配置されていてもよく、この循環を円滑に行うために複数設けても良い。
【００３７】
この液状の炭酸アルキレンの流れを作る循環手段６としては、例えば、ポンプ等を挙げることができ、この循環手段６の作用により、凝縮手段５により液化、再生された炭酸アルキレンは、洗浄槽３に送り込まれて再び有機被膜の洗浄に用いられることとなる。
【００３８】
次に、この有機被膜洗浄液の再生装置を使用した有機被膜洗浄液の再生方法について説明する。
【００３９】
本発明の有機被膜洗浄液の再生方法においては、まず、炭酸アルキレンを有効成分とする洗浄液２を収容した洗浄槽３に、洗浄対象物を浸漬し、該洗浄対象物に付着している有機被膜を除去する洗浄工程を行うものである。
【００４０】
本発明に用いる洗浄液２は、炭酸アルキレンを有効成分とするものであり、炭酸アルキレン単独で用いることが好ましく、レジストが溶解することにより炭酸アルキレンの溶解能力が落ちていくため、炭酸アルキレンを８０質量％以上、レジスト成分を２０質量％以下含有まで洗浄液として使用可能である。この炭酸アルキレンとしては、炭酸エチレン、炭酸プロピレン、炭酸エチレンと炭酸プロピレンとの混合物が挙げられる。
【００４１】
炭酸エチレンは、融点  ３６．４℃、沸点  ２３８℃、引火点  １６０℃であり、易水溶性で、室温では無色無臭の比較的安定な固体であるが、加温により液状の非プロトン性極性溶媒として用いることができる物質である。沸点・引火点が高く、毒性が小さいこと、さらに消防法における危険物には指定されていないことから好ましいものである。
【００４２】
炭酸プロピレンは、融点  −４８．８℃、沸点  ２４２℃、引火点  １３０℃以上であり、低温で液体であり第４類危険物になっている点を除けば、炭酸エチレンと同様な性質をもつ物質である。
【００４３】
ここで用いる炭酸アルキレン液は、芳香族炭化水素に対する溶解力が強いが、分子凝集エネルギー密度に関わる溶解パラメーター（ＳＰ値）が約１４と大きく、理論上はＳＰ値が揃うほど溶解しやすいとされているため、レジスト材料の高分子のＳＰ値は１０前後のものが多く、剥離用溶剤も似た値のもの、例えば、ＳＰ値１１のＮＭＰが使用されてきた。
【００４４】
しかし、本発明者らは、炭酸アルキレン液が単独でも従来の剥離用溶剤と同程度又はそれ以上の剥離ができることを見出した。炭酸アルキレン液の有機被膜に対する溶解作用は高温になるほど強くなり、引火点以下の温度であれば、安全に操作することができるし、不活性ガス中であれば、２００℃程度の湿式処理でも何ら問題はなく、他の有機溶剤系レジスト除去剤に比し、７０℃程度での蒸気圧は約１／１０で、加熱処理での蒸発による液損失が少ないという利点がある。高温状態では、蒸発量がやや多くなるが、蒸気の毒性は非常に低いので特に問題とはならない。
【００４５】
この洗浄液は室温で液体である方が使いやすく、炭酸エチレンと炭酸プロピレンとを混合すれば後者が多いほど融点が低下する。一方、後者が多いと上述のようにオゾンを溶解させたときオゾンとの反応により生じる酸化性物質の量が多くなり、液の消費量に影響を及ぼす。室温で液状という条件と酸化性物質低減の条件を満たす混合割合は、炭酸エチレン／炭酸プロピレンの重量比が、４〜２／３、好ましくは３〜１となる範囲である。
【００４６】
例えば、代表的なポジ型フォトレジストであるノボラック系レジストは、クレゾールの重合体と多環芳香族で構成されているため、本発明の洗浄液を適用すれば、加熱によって溶解性を高めることができる。
【００４７】
加熱による有効な温度範囲は３０〜２００℃（炭酸エチレン単独使用の場合は、４０〜２００℃）で、好ましくは引火点以下の６０〜１５０℃である。処理条件が適当であれば２０μｍ／分以上の剥離速度を容易に得ることができる。
【００４８】
湿式の剥離法では、従来その剥離処理が非常に難しかったＢ＋の１×１０１５／ｃｍ２イオン注入で変質したノボラックレジスト膜すら、高温の炭酸アルキレン液の浸漬処理によればかなり短時間で剥離することができる。例えば、１．５μｍの厚さの膜が、１２０℃で７０秒の炭酸アルキレンの浸漬処理で剥離され、ドライエッチングで変質層を生じたレジストの場合も同様である。
【００４９】
また、処理温度が高い程、表面張力や粘度が下がり、超微細パターンデバイスでのレジスト剥離に適している。
【００５０】
Ｂ＋の１×１０１４／ｃｍ２イオン注入の膜では、厚さ１５μｍの剥離が、１２０℃の炭酸エチレン液への浸漬で５秒（剥離速度：１８μｍ／分）、１００℃浸漬で１０秒（剥離速度：９μｍ／分）と極めて速い。炭酸プロピレンの場合は、これよりも多少時間がかかる。強く変質したレジストの高温処理では、特に変質の激しい表層部以外の成分が容易に洗浄液に溶解し、溶解し難い変質成分は微小粒となって液に分散するという剥離機構が働く。分散した微小粒は炭酸アルキレン液をオゾンガス通気処理することで完全に溶解できる。
【００５１】
この高温での溶解力は極めて大きいので、有機被膜を有する洗浄対象物を洗浄液に接触させるだけで溶解が直ちに始まる。溶解は一種の拡散現象で濃度差が大きいほどに速くなることから、洗浄槽における洗浄液の対流によって、有機被膜を連続的に溶解し、溶解効果を高い状態で維持することができる。
【００５２】
上述の通り、液状炭酸アルキレン液を用いると、レジスト膜等の有機被膜を有効に剥離・除去することができ、該処理後の洗浄液には、有機被膜由来の成分が溶解（及び分散）して含有されることとなる。
【００５３】
本洗浄工程においては、このように炭酸アルキレン液の有機被膜を溶解する力が大きいため、洗浄対象物を浸漬したのみでも有機被膜を剥離・除去することが容易である。また、より効率的に有機被膜の剥離・除去を行うためには洗浄対象物を揺動したり、超音波を照射したりすればよい。
【００５４】
図２の揺動装置２１の構成は既に説明したが、その動作は、カム２４が回転することによって、保持手段２３も円運動をはじめ、この保持手段２３に接続している洗浄カゴ２２もそれに伴い上下左右へと円を描きながら運動を行い、洗浄液２の中で洗浄カゴ２２は揺動されて、洗浄カゴ２２を浸漬するのみよりも効率的に有機被膜の剥離を行うことができるものである。
【００５５】
また、超音波を照射する場合には、超音波振動子、例えば、２８ｋＨｚ、３００Ｗの超音波振動子を洗浄槽３の底面及び／又は側面に設けて、これにより超音波を洗浄対象物に照射することによって、洗浄対象物に付着している有機被膜に振動が与えられ、有機被膜の剥離を促進することができる。この有機被膜由来の成分が溶解した洗浄液２は、洗浄槽３から精留手段４へ移送され精留工程へ付される。
【００５６】
精留工程では、まず、洗浄液が精留手段４の精留部４２へ導入される。この精留部４２の内部は、加熱部４１により加熱されているため、導入された洗浄液中の炭酸アルキレンは、トレイで滞留する還流液から、還流液組成より高い炭酸アルキレン濃度の蒸気を発生させて、上段のトレイで滞留する還流液に底面から上方に通過させながら気液接触を行うことで溶解させる。これにより、上段のトレイほど高い炭酸アルキレン濃度の還流液組成にして、塔頂部より高純度の炭酸アルキレン蒸気を留出させることができる。還流液と上昇蒸気との間でこのような物質移動と熱移動を繰り返しながら、汚染された洗浄液から炭酸アルキレンは精留される。
【００５７】
この精留工程を常圧下で行う場合には、用いた炭酸アルキレンの沸点以上の温度に加熱して行えばよいが、精留を効率良く行うためには、真空又は減圧条件により行うことが好ましい。減圧して精留を行う場合の圧力と温度は、前述した如く、圧力は１０〜４０Ｔｏｒｒで、加熱温度は各設定圧力に相当する沸点温度である１１５〜１４７℃以上に設定して、凝縮温度は各圧力に相当する沸点温度より低ければよいことになる。従って、凝縮手段をより効率よく経済的に行うには洗浄液が凝固しない程度の装置内温度である４０℃に設定するのが好ましい。
【００５８】
洗浄液は、有機被膜を構成する有機物を最大で２０質量％程度含有するまで溶解に用いることができ、この洗浄液の精留に、例えば、３段のトレイを有する精留塔を用いた場合には、純度９０％以上、回収率７５％以上で炭酸アルキレンを得ることができる。
【００５９】
精留手段４のトレイにおいては、下段に行くほど炭酸アルキレンの含有割合は少なくなり、逆に有機被膜を構成する有機物の含有割合は多くなるため、トレイ中の洗浄液の粘度は徐々に高くなっている。
【００６０】
本実施形態における凝縮工程は、精留工程で精留塔の塔頂から蒸気として分離された炭酸アルキレンを凝縮するものであり、この炭酸アルキレンの蒸気を液状にすることにより、純度の高い炭酸アルキレン液を得るものである。
【００６１】
この凝縮工程において、炭酸アルキレンの蒸気を液状にするには、通常、炭酸アルキレン蒸気を冷却することで行うことができる。
【００６２】
また、循環工程は、洗浄工程で用いられ、精留工程及び凝縮工程を経て、凝縮工程により液化した炭酸アルキレンを洗浄工程へと循環させるものであり、これにより洗浄槽３の洗浄液中に存在する炭酸アルキレンは清浄されて洗浄槽３へ循環されることとなる。
【００６３】
この循環工程は、洗浄槽３、精留手段４、凝縮手段５、洗浄槽３の順番に炭酸アルキレンが循環することができるように流れを作る工程であり、特に凝縮手段５により液化した炭酸アルキレンを洗浄槽３へ移送する循環の最終工程を含むものである。
【００６４】
この液状の炭酸アルキレンの流れは、例えば、ポンプを用いることにより作ることができ、この循環工程により、凝縮手段５により液化、再生された炭酸アルキレンは、洗浄槽３に送り込まれて再び有機被膜の洗浄に用いられることとなる。
【００６５】
なお、以上説明した洗浄操作を繰返し行うと、精留手段４のトレイには有機被膜を構成する有機物を多く含んだ廃棄物が溜まることとなり、精留の精度を保つために定期的にトレイを清掃又は交換を行う必要がある。
【００６６】
このとき、前述したように有機物を廃棄するにはトレイがカートリッジ式であることが作業を容易に行うことができる点で好ましく、カートリッジ式である場合の交換作業について、精留の条件として圧力２０Ｔｏｒｒ、温度１３０℃で精留操作を行っている場合を例として、以下に説明する。
【００６７】
まず、精留操作を停止するために、循環手段６を停止し、有機被膜洗浄液の再生装置１内の洗浄液、炭酸アルキレンの循環を停止する。このとき、精留手段４の圧力、温度は２０Ｔｏｒｒ、１３０℃に保持したまま精留手段４の回収部４３内で炭酸アルキレンが精留されていることを確認する。炭酸アルキレンの大部分が精留手段４から蒸気として出て行くように、このままの条件で３０〜６０分間精留を行った後、カートリッジとなっている回収部４３を冷却して３０℃以下の温度にする。
【００６８】
冷却されたカートリッジを取り外し、予め用意しておいた予備のカートリッジを装着して再び精留手段４を密閉状態にして、有機被膜洗浄液の再生装置１の運転を再開する。取り外したカートリッジは、そのトレイの中のレジスト及び炭酸アルキレンの回収、廃棄のいずれかの操作が行われることで、トレイは清浄化され、次の交換時に用いるカートリッジとされる。
【００６９】
この有機被膜洗浄液の再生方法において、洗浄工程、凝縮工程、循環工程及び貯留工程を洗浄液が凝固しない温度に保持して行うことが好ましく、この温度を保持する保温手段としてヒーターを用いることにより達成することができる。このときの温度は、４０℃であることが好ましい。
【００７０】
（第２の実施形態）
本発明の有機被膜洗浄液の再生装置は、凝縮手段の後に、貯留手段を有する点が異なるだけで、その他は第１の実施形態と同一の構成である。
【００７１】
図３に示すように、この有機被膜洗浄液の再生装置１１を用いる場合には、貯留手段１７は、精留手段４、凝縮手段５を経由して得られた液状の炭酸アルキレンを洗浄槽３へ移送するのに適した量まで溜めることができるため、洗浄槽３の洗浄液を一度に供給することができる。
【００７２】
また、精留には時間がかかるため、一旦貯留をしておいた方が洗浄液を循環させる点からは好ましく、この場合、最初に使った洗浄液は精留手段４へ移送し、洗浄槽には新たに洗浄液を加え、この新たに加えた洗浄液により洗浄を行っている間に、最初の洗浄液の精留を終了させることが好ましい。よって、本実施の形態においては、精留をバッチ式で行うことが好ましい。
【００７３】
このように、２度目に加えた洗浄液により洗浄が終わり、この洗浄液を洗浄槽から精留手段４へ移送させた後に、貯留手段１７に貯留している炭酸アルキレン液を洗浄槽３へと移送して３度目の洗浄を行うことで、洗浄液の再生利用を円滑に行うことができる。
【００７４】
また、この貯留手段１７から洗浄槽３に移送する前に、洗浄液を添加することができ、このようにすれば洗浄槽には溶解能力の高い洗浄液が供給されることとなり、安定した洗浄を行うことができる。
【００７５】
［有機被膜の洗浄装置及び洗浄方法］
次に、本発明の有機被膜の洗浄装置及び洗浄方法について図面を参照しながら説明する。
【００７６】
図４は本発明の有機被膜の洗浄装置を示したものであるが、第２の実施形態における再生装置に純水洗浄槽及び乾燥手段を設け、より具体的な態様としたものであるが、このような構成とした場合には、有機被膜の除去から乾燥までを一台の装置で連続的に行うことができ、さらに、洗浄液を再生して循環しながら有機被膜の洗浄を行うことができる。
【００７７】
この有機被膜の洗浄装置７１は、有機被膜洗浄液の再生装置１１と、有機被膜を除去した洗浄対象物に付着した洗浄液をすすぐための純水洗浄槽７２と、純水洗浄槽で付着した純水を乾燥させる乾燥手段７４と、洗浄カゴ昇降機７３と、炭酸アルキレン排気口７５とから構成されるものである。
【００７８】
純水洗浄槽７２は、純水を収容するものであり、有機被膜洗浄液の再生装置１１で有機被膜が除去された洗浄対象物を、この純水洗浄槽７２に浸漬することで洗浄対象物に付着している洗浄液を純水で洗い流すものである。ここで、純水洗浄槽においても、純水でのすすぎを効率良く行うために、有機被膜洗浄液の再生装置と同様に揺動手段や超音波手段を用いることができる。
【００７９】
乾燥手段７４は、純水洗浄槽７２で洗浄した洗浄対象物に対して送風することにより純水を乾燥させるものであり、送風口から乾燥空気を洗浄カゴに向けて吹き付ける方式で洗浄対象物に付着している純水を吹き飛ばし、同時に、純水の蒸発、乾燥を行うことで洗浄対象物を乾燥することができる。
【００８０】
洗浄カゴ昇降機７３は、洗浄対象物が純水で洗浄された後、純水洗浄槽の上部に配置された乾燥手段７４の送風口まで洗浄対象物が入った洗浄カゴの昇降を行うことができるものである。これは純水洗浄の際に、洗浄を効率的に行うために昇降させてもよい。
【００８１】
炭酸アルキレン排気口７５は、装置内に拡散する炭酸アルキレンの蒸気を排気するものであり、排気ダクトから外部環境へガスが排出される。
【００８２】
この工程において、洗浄カゴを有機被膜洗浄液の再生装置１１から純水洗浄槽７２への移動を搬送手段を用いて自動で行うこととすれば、人の手を煩わさず、効率的に洗浄作業を行うことができる。
【００８３】
また、有機被膜洗浄液の再生装置１１、純水洗浄槽７２及び洗浄カゴを移動する搬送手段には、保温手段を有することが好ましい。これは、洗浄液として炭酸エチレンを用いた場合には、３６．４℃以下で凝固してしまうため、室温での洗浄作業では洗浄対象物に炭酸エチレンの膜ができてしまうためである。この保温手段を用いることにより炭酸エチレンの固化を防ぎ、洗浄対象物を清浄に保つことができる。
【００８４】
次に、この装置を用いた有機被膜洗浄液の再生方法について説明する。
【００８５】
まず、有機被膜洗浄工程では、洗浄対象物を洗浄カゴ２２に入れ、この洗浄カゴを再生装置１１の洗浄槽３の洗浄液中に浸漬して、有機被膜を溶解・除去するのに十分な時間、浸漬して洗浄対象物の有機被膜を除去する。このとき、有機被膜の除去を効率的に行うために、洗浄カゴ２２を洗浄槽中で揺動することが好ましい。
【００８６】
この浸漬する時間は、除去する有機被膜の厚さ、量、有機被膜の洗浄液への溶解度等を考慮して適宜決定すればよく、例えば、ノボラック型レジストの１ｍｍ厚程度の被膜であれば、２０分間の浸漬で有機被膜を完全に除去することができる。
【００８７】
有機被膜の除去が終わったら洗浄カゴ２２を洗浄槽３から引き上げ、次に、これを純水洗浄槽７２まで移動し、今度は純水洗浄槽の純水中に浸漬して、有機被膜洗浄工程で付着した洗浄液を洗い流す。
【００８８】
このとき、有機被膜洗浄液の再生装置１１での洗浄と同様に揺動、超音波振動により洗浄を行ってもよく、洗浄カゴ昇降機７３を用いて洗浄カゴを昇降させることにより行ってもよい。
【００８９】
洗浄対象物の純水での洗浄が終わったら、次に洗浄カゴ昇降機７３により洗浄カゴ２２を純水洗浄槽７２から引き上げ、乾燥手段７４の送風口まで移動して保持する。次に、乾燥手段７４の送風口からエアーを洗浄対象物に吹き付けて、純水洗浄槽で付着した純水を蒸発・乾燥させる。
【００９０】
また、純水洗浄槽７２への純水の供給は、純水供給管７６から純水洗浄槽が満水となるまで行えばよく、洗浄対象物のすすぎに用いられた純水は、このすすぎの操作により溢れて、純水洗浄槽の外側に設けられた槽から純水排水管７７を通して排水される。このすすぎに用いられた純水は一度使用されると少なからず汚染されるため、次のすすぎを行う前に、純水排水管を通して全て排水され、空になった純水洗浄槽７２には純水供給管７６を通して再度純水が満たされる。このとき、純水洗浄槽自体を清浄に保つために純水の供給、排水を行ってすすいでもよい。
【００９１】
本実施の形態において、有機被膜の除去、純水洗浄、洗浄槽から純水洗浄槽への搬送を行う際には、保温手段を用いることが好ましい。洗浄液が炭酸エチレンであった場合には、３６．４℃以下になると凝固してしまうため、加温手段を用いることにより洗浄対象物に炭酸エチレンの固体が付着するのを防止し、洗浄対象物を清浄に保つことができる。このときの加温温度は、４０℃であることが特に好ましい。
【実施例】
【００９２】
以下、実施例に基づいて本発明を詳細に説明する。
【００９３】
（実施例１）
この実施例では、有機被膜洗浄液の再生装置として図４の１１０として示した構成を有する装置を用いて洗浄液の再生操作を行った。
【００９４】
有機被膜洗浄液の再生装置１１０としては、外形寸法が、奥行６００ｍｍ×幅６００ｍｍ×高さ１０００ｍｍ寸法でキャスター上に配置された有機被膜洗浄液の再生装置を用い、この再生装置は、内容積が８０Ｌの洗浄槽（４５０ｍｍ×４５０ｍｍ×４２０ｍｍ寸法）を有し、その精留塔１４０は加熱ヒーター（１ｋＷ）を内蔵する加熱部１４１、３段式の多孔板型トレイを有する精留部１４２、回収部１４３の内部に配置されたＳＵＳ３１６材で製作された内容積２０Ｌの回収用カートリッジトレイ１４５とこのトレイを交換する開閉式の扉を有し、精留塔内を完全に密閉することができるカートリッジ交換扉１４４からなるＳＵＳ３１６材で製作された回収部１４３と、精留塔内を減圧することが可能な真空ポンプ１４６とから構成されている。また、水冷式の凝縮器１５０は、供給口１５１から供給された冷却水が、凝縮器内部を通る際に、凝縮器内部の蒸気を間接的に冷却して液化させるものであり、凝縮に使用された冷却水は排水口１５２から排水される。なお、洗浄液の再生操作は、バッチ処理により行った。
【００９５】
まず、有機被膜洗浄液の再生装置の洗浄槽内に６０Ｌの炭酸エチレン溶液を注入し、この洗浄槽にスピンコーターカップ（２００ｍｍφシリコンウエハー用レジスト付着カップ、厚さ１ｍｍ程度のレジスト膜が付着）を入れた洗浄カゴ（３２０ｍｍ×３２０ｍｍ×３２０ｍｍ寸法）を浸漬した。この洗浄カゴを揺動手段により揺動しながら２０分間洗浄した。
【００９６】
この洗浄により、レジストを約２０質量％含有することとなった洗浄液を精留塔内へ移送し、洗浄液は精留塔内が加熱ヒーター１４１により１２０℃に保持されて、真空ポンプ１４６で真空度１１Ｔｏｒｒに保持されているため、精留塔内へ供給された洗浄液は、蒸発し、上段のトレイで液化し、再蒸発して、さらに上段のトレイで液化し、これを繰り返しながら上部に行くほど精製された炭酸エチレン蒸気となる。精製された炭酸エチレン蒸気は、精留塔上部の配管を通って、凝縮部１５０へ移動する。凝縮部１５０で、炭酸エチレンの蒸気は４０℃の冷却水と間接的に接触することにより冷却され、液状の炭酸エチレンへと凝縮された。
【００９７】
この凝縮された炭酸エチレンを貯留手段１７０に一旦貯留し、精留で得られた炭酸エチレンからなる洗浄液をポンプにより洗浄槽へ移送して循環させた。この後で、回収部１４３のカートリッジ式トレイ１４５を交換した。
【００９８】
このバッチ式の再生操作にかかった時間は、２時間／１回で、精留時間は約１時間、冷却・カートリッジ交換は約１時間であった。
【００９９】
このとき、再生に用いた洗浄液２０Ｌに対して、１１．８Ｌが回収され、この回収された炭酸エチレンの純度は、９６％であった。
【０１００】
炭酸アルキレンとして、炭酸プロピレンと、炭酸エチレンとの混合液を用いた場合も同程度の結果が得られた。
【０１０１】
（実施例２）
この実施例では、有機被膜の洗浄装置として図４に示した構成を有する装置を用いて洗浄操作を行った。
【０１０２】
有機被膜の洗浄装置７１は、外形寸法が、奥行１０００ｍｍ×幅１６４０ｍｍ×高さ１８００ｍｍ寸法でキャスター上に配置されたものであり、この洗浄装置７１内に実施例１の有機被膜洗浄液の再生装置を組み込んだものである。また、ここで用いた有機被膜洗浄液の再生装置１１０は、内容積が８０Ｌの洗浄槽（４５０ｍｍ×４５０ｍｍ×４２０ｍｍ寸法）を有するものであり、洗浄操作は、バッチ処理により行うものである。
【０１０３】
有機被膜の除去を行う際の揺動手段は、洗浄対象物を入れる洗浄カゴ（３２０ｍｍ×３２０ｍｍ×３２０ｍｍ寸法）を保持することができる保持部と、この保持部と接続されたカムとから構成され、カムを回転させることにより洗浄カゴを揺動（揺動幅６ｃｍ、上下運動、１５回／分）させることができる。
【０１０４】
また、純水洗浄槽（４５０ｍｍ×４５０ｍｍ×５５０ｍｍ寸法）は内容積８０Ｌで、揺動条件（揺動幅６ｃｍ、上下運動）が前記揺動手段と同様な洗浄カゴ昇降機７３で構成されている。
【０１０５】
まず、有機被膜洗浄液の再生装置１１０の洗浄槽１３０内に６０Ｌの炭酸エチレン溶液を注入し、純水洗浄槽７２には純水供給管７６より純水を満杯状態にして、洗浄槽１３０にスピンコーターカップ（２００ｍｍφシリコンウエハー用レジスト付着カップ、厚さ１ｍｍ程度のレジスト膜が付着）を入れた洗浄カゴ（３２０ｍｍ×３２０ｍｍ×３２０ｍｍ寸法）を浸漬した。この洗浄カゴを揺動手段により揺動しながら２０分間洗浄した。
【０１０６】
炭酸エチレン洗浄液による洗浄後、直ちに純水が満水状態となっている純水洗浄槽７２に浸漬し、洗浄カゴ昇降機７３により洗浄カゴを揺動しながら３分間洗浄した。このとき、純水洗浄槽７２から溢れたすすぎに用いられた純水はその外側に配置された槽の底から純水排水管７７を通って排水される。
【０１０７】
純水によるすすぎが終了した洗浄カゴは、洗浄カゴ昇降機７３で所定位置まで持ち上げられ、左右にある乾燥手段７４から噴出される乾燥空気でスピンコーターカップに付着している純水を吹き飛ばし、同時に純水を蒸発させて乾燥した。この乾燥空気による乾燥を１５分間行って取り出し、目視で洗浄状態を確認したところ、スピンコーターカップに付着していたレジスト膜は全て除去され、充分に洗浄が行われていることが確認できた。なお、以上の操作は、有機被膜の洗浄装置内の温度を４０℃近傍に保持して行った。
【０１０８】
この洗浄操作の終了後、純水洗浄槽７２は直ちに洗浄水全量をドレインして、新しい純水を流量１６０Ｌ／分、３０秒で注入満水状態として待機する。
【０１０９】
レジスト付着物を洗浄槽で繰り返し洗浄すると、最初は無色透明の炭酸エチレン洗浄液は、剥離洗浄されたレジストを含む洗浄液となり透明茶褐色を呈するようになる。次に、このレジスト汚染された洗浄液を有機被膜洗浄液の再生装置の精留手段へ移送して、圧力１１Ｔｏｒｒ、温度１２０℃で６０分間精留処理を行い、得られた炭酸エチレンの蒸気を２５℃の冷却水による凝縮手段を通過させることで液状の炭酸エチレンとした。この液状の炭酸エチレンを貯留手段１７０へ、一旦貯留し、精留で得られた炭酸エチレンからなる洗浄液をポンプにより洗浄槽へ移送して循環させた。なお、不足となる洗浄液は炭酸エチレン原液を本貯留手段１７０に補給すればよい。
【０１１０】
この洗浄回数を重ねると、炭酸エチレンは完全に無色透明とならず、透明茶褐色の色調が濃くなり、有機被膜の溶解能力が低下するため、洗浄液の交換又は炭酸エチレン原液での調合を行う。洗浄液の交換時期及び原液調合などの管理は洗浄操作状況と透明茶褐色への色調の変化度合いとを色度計で測定することで判断すればよい。
【０１１１】
なお、洗浄液として炭酸プロピレンのみ又は炭酸エチレンと炭酸プロピレンの５０：５０混合液を用いて洗浄を行ったところ、同等の洗浄効果が得られることも確認できた。これら洗浄液の選定は洗浄対象物により適宜決めればよい。
【図面の簡単な説明】
【０１１２】
【図１】本発明に係る有機被膜洗浄液の再生装置における第１の実施形態を示した概念図である。
【図２】洗浄対象物を揺動するための揺動装置の概念図である。
【図３】本発明に係る有機被膜洗浄液の再生装置における第２の実施形態を示した概念図である。
【図４】本発明に係る有機被膜の洗浄装置における実施形態を示した概念図である。
【符号の説明】
【０１１３】
１，１１…有機被膜洗浄液の再生装置、２…洗浄液、３…洗浄槽、４…精留手段、５…凝縮手段、６…循環手段、１７…貯留手段、４１…加熱部、４２…精留部、４３…回収部、７１…有機被膜の洗浄装置、７２…純水洗浄槽、７３…洗浄カゴ昇降手段、７４…乾燥手段、７５…炭酸アルキレン排気口、７６…純水供給管、７７…純水排水管、１１０…有機被膜洗浄液の再生装置、１３０…洗浄槽、１４０…精留手段、１４１…加熱部、１４２…精留部、１４３…回収部、１４４…カートリッジ交換扉、１４５…回収用カートリッジ式トレイ、１４６…真空ポンプ、１５０…凝縮手段、１５１…冷却水供給口、１５２…冷却水排水口、１７０…貯留手段
【図１】
2005169287.tif 000004
【図２】
2005169287.tif 000005
【図３】
2005169287.tif 000006
【図４】
2005169287.tif 000007